(57)【特許請求の範囲】
【請求項１】
顧客の操作に従って、入出金処理を自動的に実行する自動取引装置であって、
紙幣を収納するスタッカと、
前記スタッカへ紙幣の補充を行うためのカセットと、
前記カセットから前記スタッカへ所定枚数の紙幣を補充する補充処理を行う補充処理部と、
前記カセット内の紙幣の在高を確定するために、前記カセット内の紙幣の計数処理を行う計数処理部と、
を備え、
前記補充処理部は、前記スタッカへ補充した紙幣の枚数が、予め設定されており、前記所定枚数より少ない第一補充枚数に達すると、前記補充処理を中断し、前記計数処理部による計数処理が終了すると、前記補充処理を再開し、
前記計数処理部は、前記補充処理部により前記補充処理が中断されると、前記計数処理を開始する、
ことを特徴とする自動取引装置。
【請求項２】
前記計数処理部は、前記計数処理を行っている間に、前記スタッカ内の紙幣の残数が、所定の閾値以下となった場合には、前記計数処理を中断し、
前記補充処理部は、前記計数処理部により前記計数処理が中断されると、前記補充処理を再開する、
ことを特徴とする請求項１に記載の自動取引装置。
【請求項３】
前記計数処理の際に、処理対象のカセット内の紙幣を一時的に収納するための計数用スタッカを更に備え、
前記補充処理部は、前記計数処理を中断して前記補充処理を行っている間に、前記カセット内の紙幣が無くなった場合には、前記計数用スタッカ内に一時的に収納されている紙幣を前記スタッカへ補充する、
ことを特徴とする請求項２に記載の自動取引装置。
【請求項４】
前記補充処理を行っている間に、前記カセット内の紙幣が無くなった場合に、上位装置へアラートを出力する通知部を更に備える、
ことを特徴とする請求項1乃至３のいずれか一に記載の自動取引装置。
【請求項５】
前記第一補充枚数は、前記計数処理に要する時間に基づいて設定される、
ことを特徴とする請求項１乃至４のいずれか一に記載の自動取引装置。
【請求項６】
顧客の操作に従って、入出金処理を自動的に実行する自動取引装置の紙幣補充方法であって、
紙幣の補充を行うためのカセットから紙幣を収納するスタッカへ所定枚数の紙幣を補充する際に、
前記スタッカへ補充した紙幣の枚数が、予め設定されており、前記所定枚数より少ない第一補充枚数に達すると、紙幣の補充を中断し、
前記補充を中断すると、前記カセット内の紙幣の在高を確定するために、前記カセット内の紙幣の計数処理を行い、
前記計数処理が終了すると、前記補充を再開する、
ことを特徴とする紙幣補充方法。
【請求項７】
顧客の操作に従って、入出金処理を自動的に実行する自動取引装置のコンピュータに、
紙幣の補充を行うためのカセットから紙幣を収納するスタッカへ所定枚数の紙幣を補充する際に、
前記スタッカへ補充した紙幣の枚数が、予め設定されており、前記所定枚数より少ない第一補充枚数に達すると、紙幣の補充を中断し、
前記補充を中断すると、前記カセット内の紙幣の在高を確定するために、前記カセット内の紙幣の計数処理を行い、
前記計数処理が終了すると、前記補充を再開する、
処理を実行させる、
ことを特徴とするプログラム。
【発明の詳細な説明】
【技術分野】
【０００１】
本発明は、自動取引装置、紙幣補充方法、及び、プログラムに関する。
【背景技術】
【０００２】
ＡＴＭ（Automated Teller Machine：現金自動預け払い機）などの自動取引装置が、金融機関などに設置されている。
【０００３】
従来の自動取引装置では、紙幣を補充する際、補充・回収用のカセットから金種別のスタッカへベース枚数に達するまで補充を行っている。ベース枚数は、通常、管理者により予め設定される。例えば、出金過多の自動取引装置では、紙幣がエンプティになるのを防止するために、ベース枚数が、スタッカの収納上限枚数（以下、フル枚数という）に非常に近い値に設定され、カセットには、紙幣が可能な限り収納される。
【０００４】
ベース枚数が、フル枚数に近い値に設定されている場合には、補充時にフルセンサを検知してしまい、スタッカフルとなってしまう場合がある。スタッカフルとなると、入金処理された紙幣はカセットへ収納されることとなる。
【発明の概要】
【発明が解決しようとする課題】
【０００５】
しかしながら、カセット内に紙幣がまだ残っている場合には、カセット内の在高が確定される迄、すなわち、カセット内の紙幣の計数処理が終了する迄、入金取引を縮退（以下、入金縮退という）させる必要がある。
【０００６】
上記問題点に鑑み、本発明では、スタッカへ紙幣補充時に、スタッカフルとなっても入金縮退することなく運用することを可能にする自動取引装置、紙幣補充方法、及び、プログラムを提供することを課題とする。
【課題を解決するための手段】
【０００７】
本発明に係る自動取引装置は、顧客の操作に従って、入出金処理を自動的に実行する自動取引装置であって、紙幣を収納するスタッカと、前記スタッカへ紙幣の補充を行うためのカセットと、前記カセットから前記スタッカへ所定枚数の紙幣を補充する補充処理を行う補充処理部と、前記カセット内の紙幣の在高を確定するために、前記カセット内の紙幣の計数処理を行う計数処理部と、を備え、前記補充処理部は、前記スタッカへ補充した紙幣の枚数が、予め設定されており、前記所定枚数より少ない第一補充枚数に達すると、前記補充処理を中断し、前記計数処理部による計数処理が終了すると、前記補充処理を再開し、前記計数処理部は、前記補充処理部による前記補充処理が中断されると、前記計数処理を開始するものである。
【０００８】
また、本発明に係る紙幣補充方法は、顧客の操作に従って、入出金処理を自動的に実行する自動取引装置の紙幣補充方法であって、紙幣の補充を行うためのカセットから紙幣を収納するスタッカへ所定枚数の紙幣を補充する際に、前記スタッカへ補充した紙幣の枚数が、予め設定されており、前記所定枚数より少ない第一補充枚数に達すると、紙幣の補充を中断し、前記補充を中断すると、前記カセット内の紙幣の在高を確定するために、前記カセット内の紙幣の計数処理を行い、前記計数処理が終了すると、前記補充を再開するものである。
【０００９】
また、本発明に係るプログラムは、顧客の操作に従って、入出金処理を自動的に実行する自動取引装置のコンピュータに、紙幣の補充を行うためのカセットから紙幣を収納するスタッカへ所定枚数の紙幣を補充する際に、前記スタッカへ補充した紙幣の枚数が、予め設定されており、前記所定枚数より少ない第一補充枚数に達すると、紙幣の補充を中断し、前記補充を中断すると、前記カセット内の紙幣の在高を確定するために、前記カセット内の紙幣の計数処理を行い、前記計数処理が終了すると、前記補充を再開する、処理を実行させるものである。
【発明の効果】
【００１０】
本発明によれば、スタッカへ紙幣補充時に、スタッカフルとなっても入金縮退しないようにすることで、自動取引装置の利用者に対するサービスを向上させることが可能となると共に、スタッカへの補充枚数（ベース枚数）を増やせることから、紙幣の補充回数を減らすことが可能となり、業務を効率化することが可能となる。
【図面の簡単な説明】
【００１１】
【図１】実施形態１における自動取引装置の構成例を示す機能ブロック図である。
【図２】実施形態１における紙幣ユニットの構成例を示すブロック図である。
【図３】実施形態１における紙幣補充処理を説明するためのフローチャートの例である。
【図４】従来におけるカセットからスタッカへの紙幣補充方法を説明するための図である。
【図５】実施形態１におけるカセットからスタッカへの紙幣補充方法を説明するための図である。
【図６】実施形態２における紙幣補充処理を説明するためのフローチャートの例の一部である。
【図７】実施形態２における紙幣補充処理を説明するためのフローチャートの例の他の一部である。
【図８】変形例１における紙幣補充処理を説明するためのフローチャートの例の一部である。
【発明を実施するための形態】
【００１２】
以下に本発明の実施の形態について図面を参照しながら詳細に説明する。
【００１３】
（実施形態１）
図１は、本実施形態１における自動取引装置１００の構成例を示す機能ブロック図である。自動取引装置１００は、例えば、金融機関などに設置され、利用者（顧客）の操作に従って、入出金処理を自動的に実行する装置であり、図１に示すように、紙幣ユニット１０と、記憶部２０と、管理用表示部３０と、管理用操作部４０と、制御部５０と、を備えて構成されている。
【００１４】
図２は、本実施形態１の紙幣ユニット１０の構成例を示すブロック図である。紙幣ユニット１０は、図２に示すように、カセット１１と、搬送部１２と、鑑別部１３と、スタッカ１４と、リジェクト部１５と、計数用スタッカ１６とを備えて構成されている。
【００１５】
カセット１１は、自動取引装置１００（スタッカ１４）へ紙幣を外部から補充、あるいは、自動取引装置１００（スタッカ１４）から紙幣を回収するためのカセットである。カセット１１内には、図示しないが、カセット１１内の紙幣がエンプティになったこと検出するセンサが設置されている。
【００１６】
搬送部１２は、カセット１１などから紙幣を一枚ずつ繰出すための複数の繰出ローラと、紙幣を搬送するための複数の搬送ベルトと、搬送ベルトを動かす複数の搬送ローラと、繰出ローラと搬送ローラとを駆動させるための駆動モータなどで構成され、制御部５０の制御の下、各部間における紙幣の搬送が可能となっている。
【００１７】
例えば、紙幣補充時において、詳しくは後述の補充処理部５２の制御の下、カセット１１から一枚ずつ繰出された紙幣は、鑑別部１３に搬送され、鑑別の結果、紙幣が正常券とされた場合には、紙幣の金種に対応するスタッカ１４へ搬送され、収納される。一方、鑑別の結果、紙幣が不明券とされた場合には、リジェクト部１５へ搬送され、収納される。
【００１８】
鑑別部１３は、紙幣が正常券であるか不明券であるかを鑑別すると共に、正常券の場合には紙幣の金種を特定する。
【００１９】
また、鑑別部１３には、金種別のカウンタが設けられており、例えば、カセット１１からスタッカ１４へ紙幣を補充する際に、特定した金種に対応するカウンタをインクリメントすることで、金種ごとにスタッカ１４へ補充した枚数をカウントする。また、例えば、カセット１１内の紙幣の在高を確定する際に、特定した金種に対応するカウンタをインクリメントすることで、金種ごとの在高を確定する。
【００２０】
スタッカ１４は、金種別に紙幣を収納するためのスタッカである。リジェクト部１５は、カセット１１内部に設けられており、補充又は回収時に鑑別部１３により不明券とされた紙幣を収納するためのボックスである。
【００２１】
計数用スタッカ１６は、カセット１１の在高を確定するための計数処理を行う際に使用されるスタッカである。
【００２２】
例えば、カセット１１内の在高を確定する際には、カセット１１から紙幣が一枚ずつ繰出され、鑑別部１３へ搬送され、鑑別部１３において鑑別処理と紙幣のカウントが行われた後、紙幣は計数用スタッカ１６へ一時的に収容される。そして、カセット１１内の全ての紙幣の処理が終わった後に、紙幣は計数用スタッカ１６からカセット１１へと再び移される。なお、計数用スタッカ１６内には、図示しないが、計数用スタッカ１６内の紙幣がエンプティになったこと検出するセンサが設置されている。
【００２３】
図１に戻り、記憶部２０は、ＲＡＭ（Random Access Memory）、ＲＯＭ（Read Only Memory）、ＨＤＤ（Hard Disk Drive）などで構成され、制御部５０を構成するＣＰＵ（Central Processing Unit）のワークエリア、自動取引装置１００全体を制御するための動作プログラムなどのプログラムを格納するプログラムエリア、ベース枚数を示す情報や第一補充枚数を示す情報などの各種データを格納するデータエリアとして機能する。
【００２４】
ここで、ベース枚数は、カセット１１からスタッカ１４へ紙幣を補充する際の補充枚数であり、例えば、管理者により予め設定される。
【００２５】
第一補充枚数は、カセット１１の計数処理を行っている間に、スタッカ１４内の紙幣がエンプティとならないために必要な枚数であり、予め設定されている。第一補充枚数は、例えば、計数処理に要する平均的な時間、一出金取引における最大出金可能枚数、一出金取引に要する平均的な時間などに基づいて、設定される。
【００２６】
より具体的には、第一補充枚数をＸ、カセット１１に収納可能な上限枚数をＭｃ、紙幣の計数速度（枚／ｓ）をＶ、とすると、計数処理に要する時間は、（Ｍｃ−Ｘ）／Ｖとなる。一出金取引に要する平均的な時間をＳとすると、計数処理を行っている間に行われる取引の最大回数は、ｒｏｕｎｄｕｐ{（Ｍｃ−Ｘ）／（Ｖ×Ｓ）}となる。ここで、関数ｒｏｕｎｄｕｐは、整数に切り上げる関数であり、例えば、ｒｏｕｎｄｕｐ（７．２）＝８となる。
【００２７】
したがって、一出金取引における最大出金可能枚数をＭとすると、計数処理中に出金される最大枚数は、ｒｏｕｎｄｕｐ{（Ｍｃ−Ｘ）／（Ｖ×Ｓ）}×Ｍとなる。すなわち、この場合、第一補充枚数Ｘを、以下の式を満たすように設定すればよい。
【００２８】
ｒｏｕｎｄｕｐ{（Ｍｃ−Ｘ）／（Ｖ×Ｓ）}×Ｍ≦Ｘ
【００２９】
例えば、Ｍｃ：２７００枚、Ｖ：１２枚／秒、Ｓ：６０秒、Ｍ：１００枚とすると、Ｘは３４２枚となる。
【００３０】
管理用表示部３０は、ＬＣＤ（Liquid Crystal Display）や有機ＥＬ（Electro-Luminescence）などの表示装置などで構成され、例えば、各種機能ボタンなどを表示画面上に表示する。
【００３１】
管理用操作部４０は、キーボードや管理用表示部３０の表示画面上に表示されるタッチパネルなどで構成され、管理者は、管理用操作部４０を操作して、自動取引装置１００への指示を入力することで、所望の処理を実行させることが可能である。例えば、自動取引装置１００へ紙幣を補充する際に、紙幣を充填したカセット１１を自動取引装置１００内に装着した後に、管理者は、管理用操作部４０を操作することで、スタッカ１４へ紙幣の補充を開始させることが可能である。
【００３２】
制御部５０は、ＣＰＵなどで構成され、記憶部２０のプログラムエリアに格納されている動作プログラムを実行して、図１に示すように、判定部５１と、補充処理部５２と、計数処理部５３と、通知部５４としての機能を実現すると共に、自動取引装置１００全体を制御する制御処理や、詳しくは後述の紙幣補充処理などの処理を実行する。
【００３３】
判定部５１は、紙幣補充の開始指示がなされたか否かを判定する。具体的には、判定部５１は、管理者により管理用操作部４０が操作され、紙幣補充の開始指示が行われたか否かを判定する。
【００３４】
また、判定部５１は、カセット１１からスタッカ１４へ補充された紙幣の枚数が第一補充枚数に達したか否かを判定する。具体的には、鑑別部１３の金種別のカウンタの値が第一補充枚数に達したか否かを判定することで、カセット１１からスタッカ１４へ補充された紙幣の枚数が第一補充枚数に達したか否かを判定する。
【００３５】
また、判定部５１は、カセット１１内の紙幣がエンプティか否かを判定する。具体的には、カセット１１内に設置されているセンサによりエンプティが検出されたか否かを判定することで、判定部５１は、カセット１１内の紙幣がエンプティか否かを判定する。
【００３６】
また、判定部５１は、スタッカ１４へ補充された紙幣の枚数が第一補充枚数に達すると開始されるカセット１１内の紙幣の計数処理が終了したか否かを判定する。具体的には、計数処理が開始された後に、計数用スタッカ１６内に設けられているセンサによりエンプティが検出された場合に、計数処理が終了したと判定する。
【００３７】
また、判定部５１は、カセット１１からスタッカ１４へ補充された紙幣の枚数がベース枚数に達したか否かを判定する。具体的には、鑑別部１３の金種別のカウンタの値が、ベース枚数から第一補充枚数を減算して求めた値に達したか否かを判定することで、カセット１１からスタッカ１４へ補充された紙幣の枚数がベース枚数に達したか否かを判定する。
【００３８】
補充処理部５２は、紙幣の補充開始が指示されると、カセット１１からスタッカ１４へ紙幣を補充する処理を開始し、スタッカ１４への補充枚数が第一補充枚数に達すると、補充処理を中断し、計数処理部５３による計数処理が終了すると、補充処理を再開し、補充枚数がベース枚数に達すると、補充処理を終了する。
【００３９】
より具体的には、補充処理部５２は、搬送部１２を制御して、カセット１１内の紙幣を一枚ずつ繰出させ、鑑別部１３へ搬送させる。そして、補充処理部５２は、鑑別部１３を制御して、鑑別部１３において、紙幣の鑑別と、正常券の場合には紙幣の金種の特定と、特定した金種に対応するカウンタをインクリメントする処理を実行させる。
【００４０】
そして、補充処理部５２は、紙幣が正常券の場合には、搬送部１２を制御して、特定された金種に対応するスタッカ１４へ紙幣を搬送させ、収納させる。一方、紙幣が不明券の場合には、補充処理部５２は、搬送部１２を制御して、カセット１１内部に設けられているリジェクト部１５へ紙幣を搬送させ、収納させる。
【００４１】
計数処理部５３は、スタッカ１４への補充枚数が第一補充枚数に達して、補充処理部５１により補充処理が中断されると、カセット１１内の紙幣の在高を確定するために、カセット１１内の紙幣の計数処理を実行する。
【００４２】
より具体的には、計数処理部５３は、スタッカ１４への補充枚数が第一補充枚数に達して、補充処理部５１により補充処理が中断されると、搬送部１２を制御して、カセット１１から紙幣を一枚ずつ繰出させ、鑑別部１３へ搬送させる。そして、計数処理部５３は、鑑別部１３を制御して、鑑別部１３において、紙幣の鑑別と、正常券の場合には紙幣の金種の特定と、特定した金種に対応するカウンタをインクリメントする処理を実行させる。
【００４３】
そして、計数処理部５３は、紙幣が正常券の場合には、搬送部１２を制御して、計数用スタッカ１６へ紙幣を搬送させ、一時的に収納させる。一方、紙幣が不明券の場合には、計数処理部５３は、搬送部１２を制御して、カセット１１内部に設けられているリジェクト部１５へ紙幣を搬送させ、収納させる。そして、カセット１１内の全ての紙幣に対する処理が終わると、計数処理部５３は、搬送部１２を制御して、計数用スタッカ１６からカセット１１へ紙幣を搬送させ、収納させる。
【００４４】
通知部５４は、図示しない上位装置に対し、カセット１１内の紙幣がエンプティになったことを通知するためのアラートを、図示しない通信部を介して、出力する。
【００４５】
次に、図３を参照して、本実施形態１における紙幣補充処理の流れを説明する。図３は、本実施形態１における紙幣補充処理を説明するためのフローチャートの例である。本紙幣補充処理は、例えば、管理者が管理用操作部４０を操作して、紙幣補充の開始を指示したことをトリガとして開始される。
【００４６】
判定部５１は、紙幣補充の開始が指示されたか否かを判定する（ステップＳ００１）。判定部５１により、紙幣補充の開始はまだ指示されていないと判定された場合には（ステップＳ００１；ＮＯ）、処理はステップＳ００１の処理を繰り返し、紙幣補充の開始が指示されるのを待つ。
【００４７】
一方、判定部５１により、紙幣補充の開始が指示されたと判定された場合には（ステップＳ００１；ＹＥＳ）、補充処理部５２は、カセット１１からスタッカ１４へ紙幣を補充する処理を開始する（ステップＳ００２）。
【００４８】
そして、判定部５１は、カセット１１からスタッカ１４へ補充された紙幣の枚数が第一補充枚数に達したか否かを判定する（ステップＳ００３）。補充枚数はまだ第一補充枚数に達していないと判定した場合には（ステップＳ００３；ＮＯ）、判定部５１は、更に、カセット１１内の紙幣がエンプティか否かを判定する（ステップＳ１０１）。
【００４９】
判定部５１により、カセット１１内に紙幣はまだ残っていると判定された場合には（ステップＳ１０１；ＮＯ）、処理はステップＳ００３の処理へと戻り、前述の処理を繰り返す。一方、判定部５１により、カセット１１内の紙幣がエンプティであると判定された場合には（ステップＳ１０１；ＹＥＳ）、通知部５４は、上位装置へアラートを出力し（ステップＳ１０２）、処理は終了する。
【００５０】
一方、ステップＳ００３の処理において、判定部５１により、補充枚数が第一補充枚数に達したと判定された場合には（ステップＳ００３；ＹＥＳ）、補充処理部５２は、補充処理を中断し（ステップＳ００４）、計数処理部５３は、カセット１１内の紙幣の在高を確定するために、紙幣の計数処理を開始する（ステップＳ００５）。
【００５１】
そして、判定部５１は、カセット１１内の紙幣の計数処理が終了したか否かを判定する（ステップＳ００６）。判定部５１により、計数処理はまだ終了していないと判定された場合には（ステップＳ００６；ＮＯ）、処理はステップＳ００６の処理を繰り返し、計数処理が終了するのを待つ。
【００５２】
一方、判定部５１により、計数処理が終了したと判定された場合には（ステップＳ００６；ＹＥＳ）、補充処理部５２は、補充処理を再開する（ステップＳ００７）。そして、判定部５１は、カセット１１からスタッカ１４へ補充された紙幣の枚数がベース枚数に達したか否かを判定する（ステップＳ００８）。
【００５３】
補充枚数はまだベース枚数に達していないと判定した場合には（ステップＳ００８；ＮＯ）、判定部５１は、更に、カセット１１内の紙幣がエンプティか否かを判定する（ステップＳ２０１）。
【００５４】
判定部５１により、カセット１１内に紙幣はまだ残っていると判定された場合には（ステップＳ２０１；ＮＯ）、処理はステップＳ００８の処理へと戻り、前述の処理を繰り返す。一方、判定部５１により、カセット１１内の紙幣がエンプティであると判定された場合には（ステップＳ２０１；ＹＥＳ）、通知部５４は、上位装置へアラートを出力し（ステップＳ１０２）、処理は終了する。
【００５５】
一方、ステップＳ００８の処理において、判定部５１により、補充枚数がベース枚数に達したと判定された場合には（ステップＳ００８；ＹＥＳ）、補充処理部５２は、補充処理を終了し（ステップＳ００９）、処理は終了する。
【００５６】
次に、図４と図５を参照して、本実施形態１のように構成することで奏する効果について説明する。図４は、従来におけるカセット１１からスタッカ１４への紙幣補充方法を説明するための図である。図５は、本実施形態１におけるカセット１１からスタッカ１４への紙幣補充方法を説明するための図である。
【００５７】
従来の紙幣補充方法では、図４に示すように、ベース枚数に達するまで紙幣がスタッカ１４へ補充され、補充枚数がベース枚数に達すると、カセット１１内の在高を確定するための計数処理が実行される。この場合、例えば、ベース枚数の紙幣を補充した時点で、スタッカ１４のフルセンサが検知してしまうと、その後に入金処理された紙幣はカセット１１の方へ収納する必要があるが、カセット１１内の在高が確定される迄、入金処理された紙幣をカット１１内へ収納することはできない。そのため、入金縮退することとなる。
【００５８】
一方、本実施形態１における紙幣補充方法では、図５に示すように、第一補充枚数に達するまで紙幣がスタッカ１４へ補充され、補充枚数が第一補充枚数に達すると、カセット１１内の在高を確定するための計数処理が実行さる。そして、計数処理が終了すると、再び、スタッカ１４への紙幣補充が開始され、ベース枚数に達するまで紙幣がスタッカ１４へ補充される。
【００５９】
したがって、例えば、ベース枚数に達するまで紙幣をスタッカ１４へ補充した時点で、スタッカ１４のフルセンサが検知されたとしても、補充枚数が第一補充枚数に達した時点で、カセット１１内の在高を確定させているので、カセット１１への入金が可能となる。また、カセット１１の計数処理中に入金処理があったとしても、スタッカ１４の方に十分な空きがあることから、入金縮退する必要がなくなる。これにより、スタッカ１４がフルとなったとしても、入金縮退することなく自動取引装置１００を運用することが可能となる。
【００６０】
また、上記実施形態１によれば、紙幣をスタッカ１４へ補充している間に、カセット１１内の紙幣がエンプティになった場合には、自動取引装置１００は、上位装置へアラートを出力した。このように構成することで、自動取引装置１００の管理者は、必要に応じて、カセット１１へ紙幣を充填し、再び紙幣の補充を行うことが可能となる。
【００６１】
（実施形態２）
上記実施形態１の紙幣補充処理においては、カセット１１内の紙幣の計数処理が終了するのを待って、スタッカ１４への補充処理を再開させた。
【００６２】
本実施形態２においては、カセット１１内の紙幣の計数処理中にスタッカ１４内の紙幣の残数が所定の閾値以下となった場合には、計数処理を中断し、補充処理を再開し、スタッカ１４内の残数が第一補充枚数に達するまで補充する。
【００６３】
本実施形態２における自動取引装置１００の基本的な構成は、実施形態１の場合と同じである。但し、判定部５１と補充処理部５２と計数処理部５２が果たす機能が実施形態１の場合と異なっている。
【００６４】
判定部５１は、更に、スタッカ１４内の紙幣の残数が予め設定されている閾値以下となったか否かを判定する。また、判定部５１は、スタッカ１４内の紙幣の残数が第一補充枚数に達したか否かを判定する。また、判定部５１は、スタッカ１４内の紙幣の残数がベース枚数に達したか否かを判定する。
【００６５】
また、判定部５１は、計数用スタッカ１６内に設置されているセンサによりエンプティが検出されたか否かを判定することで、計数用スタッカ１６内に紙幣があるか否かを判定する。
【００６６】
補充処理部５２は、紙幣の補充開始が指示されると、カセット１１からスタッカ１４へ紙幣を補充する処理を開始し、スタッカ１４への補充枚数が第一補充枚数に達すると、補充処理を中断し、計数処理部５３による計数処理が終了すると、補充処理を再開し、補充枚数がベース枚数に達すると、補充処理を終了する。
【００６７】
また、補充処理部５２は、計数処理部５３により計数処理が中断されると、補充処理を再開し、スタッカ１４内の紙幣の残数が第一補充枚数に達すると、補充処理を再び中断する。
【００６８】
一方、計数処理が中断されている間の補充処理において、スタッカ１４内の紙幣の残数が第一補充枚数に達する前にカセット１１内の紙幣がエンプティになった場合には、計数処理部５３の制御の下、搬送部１２により計数用スタッカ１６内からカセット１１へ移動された紙幣を、補充処理部５２は、スタッカ１４へ補充する。
【００６９】
計数処理部５３は、スタッカ１４への補充枚数が第一補充枚数に達して、補充処理部５１により補充処理が中断されると、カセット１１内の紙幣の在高を確定するために、カセット１１内の紙幣の計数処理を実行する。
【００７０】
また、計数処理部５３は、計数処理中に、スタッカ１４内の紙幣の残数が閾値以下となった場合には、計数処理を中断する。そして、スタッカ１４内の紙幣の残数が第一補充枚数に達すると、計数処理部５３は、再び、カセット１１の計数処理を開始する。
【００７１】
一方、スタッカ１４内の紙幣の残数が第一補充枚数に達する前に、カセット１１内の紙幣がエンプティになった場合には、計数処理部５３は、搬送部１２を制御して、計数用スタッカ１６内の紙幣をカセット１１へ移動させる。
【００７２】
次に、図６と図７を参照して、本実施形態２における紙幣補充処理の流れを説明する。図６と図７は、それぞれ、本実施形態２における紙幣補充処理を説明するためのフローチャートの例の一部と、他の一部である。本紙幣補充処理は、例えば、管理者が管理用操作部４０を操作して、紙幣補充の開始を指示したことをトリガとして開始される。
【００７３】
なお、本実施形態２における紙幣補充処理のステップＳ００６の処理でＮＯと判定された場合に、処理がステップＳ００６の処理に戻るのではなく、新規の処理であるステップＳ２０１の処理へ移行する点で、実施形態１の場合と異なっている。したがって、ここでは、新たに追加される処理の部分を中心に説明する。
【００７４】
計数処理はまだ終了していないと判定した場合には（ステップＳ００６；ＮＯ）、判定部５１は、更に、スタッカ１４内の紙幣の残数が予め設定されている閾値以下となったか否かを判定する（ステップＳ３０１）。判定部５１により、残数は閾値より多いと判定された場合には（ステップＳ３０１；ＮＯ）、処理は、ステップＳ００６の処理へと戻り、前述の処理を繰り返す。
【００７５】
一方、判定部５１により、残数が閾値以下となったと判定された場合には（ステップＳ３０１；ＹＥＳ）、計数処理部５３は、計数処理を中断する（ステップＳ３０２）。この際、鑑定部１３は、カウンタの値を記憶部２０のデータエリアに格納する。そして、補充処理部５２は、補充処理を再開する（ステップＳ３０３）。
【００７６】
そして、判定部５１は、スタッカ１４内の紙幣の残数が第一補充枚数に達したか否かを判定する（ステップＳ３０４）。判定部５１により、残数が第一補充枚数に達したと判定された場合には（ステップＳ３０４；ＹＥＳ）、処理はステップＳ００４の処理へと戻り、前述の処理を繰り返す。
【００７７】
一方、残数はまだ第一補充枚数より少ないと判定した場合には（ステップＳ３０４；ＮＯ）、判定部５１は、更に、カセット１１内の紙幣がエンプティか否かを判定する（ステップＳ４０１）。判定部５１により、カセット１１内には紙幣がまだ残っていると判定された場合には（ステップＳ４０１；ＮＯ）、処理はステップＳ３０４の処理へと戻り、前述の処理を繰り返す。
【００７８】
一方、カセット１１内の紙幣がエンプティであると判定した場合には（ステップＳ４０１；ＹＥＳ）、判定部５１は、更に、計数用スタッカ１６内に紙幣があるか否かを判定する（ステップＳ４０２）。判定部５１により、計数用スタッカ１６内の紙幣がエンプティであると判定された場合には（ステップＳ４０２；ＮＯ）、通知部５４は、アラートを上位装置に対して出力する（ステップＳ４０３）。そして、処理は終了する。
【００７９】
一方、判定部５１により、計数用スタッカ１６内に紙幣があると判定された場合には（ステップＳ４０２；ＹＥＳ）、計数処理部５３は、搬送部１２を制御して、計数用スタッカ１６内の紙幣を全てカセット１１へ搬送させ、収納させる（ステップＳ５０１）。
【００８０】
そして、補充処理部５２は、カセット１１からスタッカ１４へ補充処理を再開し（ステップＳ５０２）、判定部５１は、スタッカ１４内の紙幣の残数がベース枚数に達したか否かを判定する（ステップＳ５０３）。判定部５１により、スタッカ１４内の紙幣の残数がベース枚数に達したと判定された場合には（ステップＳ５０３；ＹＥＳ）、処理はステップＳ００９の処理へと進む。
【００８１】
一方、スタッカ１４内の紙幣の残数はまだベース枚数に達していないと判定した場合には（ステップＳ５０３；ＮＯ）、判定部５１は、更に、カセット１１内の紙幣がエンプティか否かを判定する（ステップＳ５０４）。判定部５１により、カセット１１内には紙幣がまだ残っていると判定された場合には（ステップＳ５０４；ＮＯ）、処理はステップＳ５０３の処理へと戻り、前述の処理を繰り返す。
【００８２】
一方、カセット１１内の紙幣がエンプティであると判定した場合には（ステップＳ５０４；ＹＥＳ）、通知部５４は、アラートを上位装置に対して出力する（ステップＳ５０５）。そして、処理は終了する。
【００８３】
上記実施形態２によれば、自動取引装置１００は、カセット１１内の紙幣の計数処理中にスタッカ１４内の紙幣の残数が所定の閾値以下となった場合には、計数処理を中断した。そして、自動取引装置１００は、補充処理を再開し、スタッカ１４内の残数が第一補充枚数に達するまで補充した。このように構成することで、計数処理中に予想以上の出金処理が行われた場合であっても、スタッカ１４内の紙幣がエンプティになってしまうことを防ぐことが可能となる。
【００８４】
また、上記実施形態２によれば、自動取引装置１００は、計数処理を中断して補充処理を行っている間に、カセット１１内の紙幣がエンプティになった場合には、計数用スタッカ１６内に紙幣があれば、その紙幣をスタッカ１４へ補充した。このように構成することで、より多くの紙幣をスタッカ１４へ補充し、スタッカ１４内の紙幣がエンプティになってしまうことを防ぐことが可能となる。
【００８５】
また、上記実施形態２によれば、自動取引装置１００は、スタッカ１４へ紙幣を補充している間に、カセット１１及び計数用スタッカ１６の、いずれにも、紙幣が無くなった場合には、上位装置へアラートを出力した。このように構成することで、自動取引装置１００の管理者は、必要に応じて、カセット１１へ紙幣を充填し、再び紙幣の補充を行うことが可能となる。
【００８６】
（変形例１）
上記実施形態２における紙幣補充処理において、カセット１１内の紙幣がエンプティで（ステップＳ４０１；ＹＥＳ）、計数用スタッカ１６内に紙幣が有る場合には（ステップＳ４０２；ＹＥＳ）、計数処理部５３は、計数用スタッカ１６内の全紙幣をカセット１１へ移動した後に（ステップＳ５０１）、補充処理部５２は、カセット１１からスタッカ１４へ補充処理を再開した（ステップＳ５０２）。
【００８７】
本変形例１においては、このような場合には、計数用スタッカ１６内の全紙幣をカセット１１へ移動した後に、補充処理部５２は、カセット１１からスタッカ１４へ補充処理を再開するのではなく、計数用スタッカ１６からスタッカ１４へ直接補充する。
【００８８】
図８は、本変形例１における紙幣補充処理を説明するためのフローチャートの例の一部である。本紙幣補充処理は、例えば、管理者が管理用操作部４０を操作して、紙幣補充の開始を指示したことをトリガとして開始される。
【００８９】
なお、本変形例１における紙幣補充処理では、上述したように、ステップＳ４０２の処理でＹＥＳと判定された場合に、本変形例１特有の処理が行われる。したがって、ここでは、ステップＳ４０２の処理でＹＥＳと判定された場合の処理について説明する。
【００９０】
判定部５１により、計数用スタッカ１６内に紙幣があると判定された場合には（ステップＳ４０２；ＹＥＳ）、補充処理部５２は、搬送部１２を制御して、計数用スタッカ１６内の紙幣を一枚ずつ繰出させ、鑑定部１３を経由させて、スタッカ１４へ紙幣の補充処理を開始する（ステップＳ６０１）。
【００９１】
そして、判定部５１は、スタッカ１４内の紙幣の残数がベース枚数に達したか否かを判定する（ステップＳ６０２）。判定部５１により、スタッカ１４内の紙幣の残数がベース枚数に達したと判定された場合には（ステップＳ６０２；ＹＥＳ）、補充処理部５２は、計数用スタッカ１６からスタッカ１４への補充処理を終了する（ステップＳ６０３）。そして、計数処理部５３は、搬送部１２を制御して、計数用スタッカ１６内の紙幣をカセット１１へ移動させ（ステップＳ６０４）、処理は終了する。
【００９２】
一方、スタッカ１４内の紙幣の残数はまだベース枚数に達していないと判定した場合には（ステップＳ６０２；ＮＯ）、判定部５１は、更に、計数用スタッカ１６内の紙幣がエンプティか否かを判定する（ステップＳ７０１）。判定部５１により、計数用スタッカ１６内には紙幣がまだ残っていると判定された場合には（ステップＳ７０１；ＮＯ）、処理はステップＳ６０２の処理へと戻り、前述の処理を繰り返す。
【００９３】
一方、計数用スタッカ１６内の紙幣がエンプティであると判定した場合には（ステップＳ７０１；ＹＥＳ）、通知部５４は、アラートを上位装置に対して出力する（ステップＳ７０２）。そして、処理は終了する。
【００９４】
上記変形例１によれば、カセット１１内の紙幣がエンプティで、計数用スタッカ１６内に紙幣が有る場合には、計数用スタッカ１６からスタッカ１４へ直接紙幣を補充した。このように構成することで、より多くの紙幣をより早くスタッカ１４に補充し、スタッカ１４内の紙幣がエンプティになってしまうことを防ぐことが可能となる。
【００９５】
なお、上記実施形態１と２において、紙幣補充の開始指示は、管理者が管理用操作部４０を操作することで行うと説明したが、これに限定されるものではなく、例えば、センサなどによるカセット１１が装着されたことの検出を、紙幣補充の開始指示としてもよい。
【００９６】
また、上記実施形態１と２において、第一補充枚数は、自動取引装置１００における時間単位当たりの平均出金回数に基づいて、設定してもよいし、時間単位当たりの平均出金回数は、計数処理が行われる時間帯における時間単位当たりの平均出金回数であってもよい。また、カセット１１に収納可能な上限枚数ではなく、紙幣補充する際にカセット１１に充填する紙幣の平均枚数に基づいて、計数処理に要する時間を求めてもよい。
【００９７】
また、上記実施形態１と２において、第一補充枚数は、例えば、計数処理が行われる時間帯あるいは日に応じて可変してもよい。この場合、例えば、時間帯ごとの時間単位当たりの平均出金回数に基づいて、第一補充枚数を可変するように構成してもよい。また、例えば、特定日（出金取引が増大する給料日など）と通常日とで第一補充枚数を可変させるように構成してもよい。
【００９８】
なお、上記動作を実行するための動作プログラムを、フレキシブルディスク、ＣＤ−ＲＯＭ（Compact Disk-Read Only Memory）、ＤＶＤ（Digital Versatile Disk）、ＭＯ（Magnet Optical disk）などのコンピュータ読み取り可能な記録媒体に記憶して配布し、これを自動取引装置１００のコンピュータにインストールすることにより、上述の処理を実行するように構成してもよい。さらに、インターネット上のサーバ装置が有するディスク装置等に動作プログラムを記憶しておき、例えば、搬送波に重畳させて、コンピュータにダウンロード等するものとしてもよい。
【００９９】
以上、本発明の実施形態について説明したが、本発明は、以上に述べた実施形態に限定されるものではなく、本発明の要旨を逸脱しない範囲内で種々の構成又は実施形態を取ることができる。
【符号の説明】
【０１００】
１００      自動取引装置
１０        紙幣ユニット
１１        カセット
１２        搬送部
１３        鑑定部
１４        スタッカ
１５        リジェクト部
１６        計数用スタッカ
２０        記憶部
３０        管理用表示部
４０        管理用操作部
５０        制御部
５１        判定部
５２        補充処理部
５３        計数処理部
５４        通知部
【図１】
0005972233.tif 000002
【図２】
0005972233.tif 000003
【図３】
0005972233.tif 000004
【図４】
0005972233.tif 000005
【図５】
0005972233.tif 000006
【図６】
0005972233.tif 000007
【図７】
0005972233.tif 000008
【図８】
0005972233.tif 000009